(57)【特許請求の範囲】
【請求項１】
電動ステープラのカートリッジ収容室へ着脱自在なステープルカートリッジであって、直線ステープルを並列に接着したステープルシートを積重ねて収容したステープルパックを装填できるように形成したステープルカートリッジにおいて、
ステープルシート送出口側の面に電動ステープラのドライバを案内するガイドプレートを設け、該ガイドプレートを電動ステープラのカートリッジ収容室内に配置した前部ガイドプレートへ対向させてドライバ通路を構成することを特徴とするステープルカートリッジ。
【請求項２】
上記ステープルカートリッジのガイドプレートの近傍に磁石を配置し、ドライバ通路内のステープルが磁石に吸着されるように形成した請求項1記載のステープルカートリッジ。
【発明の詳細な説明】
【０００１】
【発明の属する技術分野】
この発明は、電動ステープラに用いるステープルカートリッジに関するものであり、特に、ジャミング処理を容易化したステープルカートリッジに関するものである。
【０００２】
【従来の技術及び発明が解決しようとする課題】
従来の電動ステープラ用ステープルカートリッジは、ステープルカートリッジの前部に取付けたフェースプレートとステープルカートリッジ本体の前端面に設けたガイドプレートとの間隙を電動ステープラのドライバが通過してステープルを射出するように形成されている。したがって、ステープルがドライバの通路内で座屈して詰まった場合は、先ず電動ステープラの外筐を取外すか、或いは複写機に電動ステープラが内蔵されている場合は複写機のカバーを開けて、電動ステープラからステープルカートリッジを取外し、ステープルカートリッジに取付けられているフェースプレートを回動或いはスライドしてステープルカートリッジ本体の前端面を開放した後にドライバ通路内に詰まったステープルを取除くという処理手順を要し、復旧に手間がかかる。そこで、ドライバ通路に詰まったステープルを簡単に除去できるようにするために解決すべき技術的課題が生じてくるのであり、本発明は上記課題を解決することを目的とする。
【０００３】
【課題を解決するための手段】
この発明は、上記目的を達成するために提案するものであり、電動ステープラのカートリッジ収容室へ着脱自在なステープルカートリッジであって、直線ステープルを並列に接着したステープルシートを積重ねて収容したステープルパックを装填できるように形成したステープルカートリッジにおいて、
ステープルシート送出口側の面に電動ステープラのドライバを案内するガイドプレートを設け、該ガイドプレートを電動ステープラのカートリッジ収容室内に配置した前部ガイドプレートへ対向させてドライバ通路を構成するステープルカートリッジを提供するものである。
【０００４】
また、上記ステープルカートリッジのガイドプレートの近傍に磁石を配置し、ドライバ通路内のステープルが磁石に吸着されるように形成したステープルカートリッジを提供するものである。
【０００５】
【発明の実施の形態】
以下、この発明の実施の一形態を図に従って詳述する。図1において1は電動ステープラのドライバユニットであり、複写機（図示せず）の内部に複写機の印刷面の関係から通常とは上下を逆転した姿勢で配置され、ドライバユニット1から上方に対向配設されるクリンチャユニット（図示せず）に向けてステープルを射出する。ドライバユニット1のカートリッジ収容部2へ着脱自在なステープルカートリッジ3は、背面に開口部4が形成されていて、左右両側面の後端に形成した縦方向のガイドレール部5にスライドドア6が係合している。ステープルカートリッジ3の左右両側面の上部とスライドドア6とに架設した引張りコイルバネ7により、スライドドア6は上方へ引上げられている。また、ステープルカートリッジ3の内部には後述する押圧板が内蔵されており、押圧板は内底面に設置した圧縮コイルバネ8により上方へ押し上げられている。スライドドア6は、前面（カートリッジ内部側の面）の中央下端部に溝（図示せず）が形成されていて、押圧板の後端部は溝の位置まで突出しており、図2に示すようにスライドドア6を下方へ押し下げると、押圧板9の後端部が溝に係合して図のように押圧板9も同時に下降する。
【０００６】
図3は電動ステープラのドライバユニット1へステープルカートリッジ3を装着した状態を示し、51はリフィル用の紙製ステープルパックであり、ステープルパック51には所定枚数のステープルシート52が積重ねて収容されている。ステープルパック51は図において下面と上面前部及び背面に窓が形成されていて、押圧板9が下面の窓内に入ってステープルシート52の下面に接触し、ステープルカートリッジ3内にある送り爪がステープルシート52の上面前部に接触する。
【０００７】
ステープルカートリッジ3へステープルパック51を装填するにあたっては、図3のようにスライドドア6ならびに押圧板9を下方へ押し下げ、ステープルカートリッジ3の後方からステープルカートリッジ3内へステープルパック51を挿入する。ステープルパック51挿入後にスライドドア6の押し下げを解除すると、図4に示すように、スライドドア6は引張りコイルバネ7に引かれて初期位置へ上昇し、ステープルパック51の背面がカバーされる。押圧板9はステープルパック51内のステープルシート52の下面に弾接してステープルカートリッジ3の内部天井面へ押し付け、ステープルシート52の枚数の減少にともなって押圧板9が上昇する。ステープルを使い切ったときは、スライドドア6を押し下げて空のステープルパック21を引き抜き、新しいステープルパックを装填する。
【０００８】
図5はステープルカートリッジ3を電動ステープラのドライバユニット1へ装着した状態を示している。ステープルカートリッジ3の天板部10の下面には板バネ11を前方斜め下へ向けて取付けてあり、電動ステープラのドライバの背面側（図において右）のガイドとなるガイドプレート12が板バネ11の先端に取付けられている。ガイドプレート12は、ドライバユニット1に設けた前部ガイドプレート13と対向していて、前部ガイドプレート13とガイドプレート12との間がドライバ1aの通路となっている。天板部10の下には前後へスライド自在なスライダ14が設けられており、スライダ14の前部に板バネ15を後方斜め下に向けて取付け、板バネ15の先端部に送り爪16を取付けてある。
【０００９】
スライダ14は、図6に示すステープルカートリッジ3のスライドガイド溝17へ挿入され、上面に横向のアーム18が取付けられる。アーム18の左右両端はステープルカートリッジ3の左右両側壁に形成した溝19を通じて、図1に示すように外側へ突出し、電動ステープラのステープル送りリンクレバー（図示せず）により前後に往復駆動され、スライダ14に設けた送り爪15によりステープルシートを前方へ送出す。図5に示すように、ガイドプレート12を取付けた板バネ11の前部は、初期状態においてスライダ14の上面よりも下降しており、スライダ14が前進するとスライダ14が板バネ11の下面にあたって板バネ11及びガイドプレート12を上方へ押し上げ、ガイドプレート12は用紙テーブル20の穴21内へ進入する。
【００１０】
図5及び図6に示す22は、送出されるステープルシートを案内するガイドテーブルであり、ガイドテーブル22の上面に沿ってステープルシートが前進する。図6に示すように、ステープルカートリッジ3の前端面へ左右に二個の磁石23を埋め込み、その前面に鉄などの磁性金属にて形成した前面カバー24を装着する。前面カバー24は磁石23に接触し、前面カバー24及びガイドプレート12の周囲に磁界が生じる。
【００１１】
電動ステープラを使用中にステープルが座屈してドライバ通路内で詰まったときは、ドライバユニット1からステープルカートリッジ3を取外せば、座屈したステープルは前面カバー24及びガイドプレート12に吸着されて取り出されるので、ステープルを取除いてステープルカートリッジ3を再びドライバユニット1へ装着すれば使用可能な状態に戻り、ジャム処理が非常に簡単である。
【００１２】
尚、この発明は上記の実施形態に限定するものではなく、この発明の技術的範囲内において種々の改変が可能であり、この発明がそれらの改変されたものに及ぶことは当然である。
【００１３】
【発明の効果】
以上説明したように、本発明のステープルカートリッジは、ステープルシート送出口側の面に電動ステープラのドライバを案内するガイドプレートを設け、このガイドプレートを電動ステープラのカートリッジ収容室内に配置した前部ガイドプレートへ対向させてドライバ通路を構成するので、ステープル詰まりが起こった場合に電動ステープラからステープルカートリッジを取外せば簡単にステープルを除去でき、従来のステープルカートリッジにおけるフェースプレートの開閉操作が不要であってジャミング処理が簡単である。
【００１４】
また、ステープルカートリッジのガイドプレートの近傍に磁石を配置することにより、ドライバ通路内で座屈したステープルが磁石に吸着されるので、一層簡単にステープルを除去することができる。
【図面の簡単な説明】
【図１】本発明の実施の一形態を示し、ステープルカートリッジと電動ステープラの斜視図。
【図２】ステープルカートリッジを示し、スライドドアを開けた状態の斜視図。
【図３】電動ステープラへステープルカートリッジを装着した状態の斜視図。
【図４】ステープルカートリッジへステープルを装填した状態を示す斜視図。
【図５】ドライバユニットとステープルカートリッジの側面断面図。
【図６】ステープルカートリッジの組立て図。
【符号の説明】
1 ドライバユニット
1a ドライバ
3 ステープルカートリッジ
4 開口部
5 ガイドレール部
6 スライドドア
7 引張りコイルバネ
8 圧縮コイルバネ
9 押圧板
11 板バネ
12 ガイドプレート
13 前部ガイドプレート
14 スライダ
15 板バネ
16 送り爪
23 磁石
24 前面カバー
【図１】
0004089211.tif 000002
【図２】
0004089211.tif 000003
【図３】
0004089211.tif 000004
【図４】
0004089211.tif 000005
【図５】
0004089211.tif 000006
【図６】
0004089211.tif 000007